(57)【要約】  本発明は、ＣＤＭＡ２０００−１ｘシステムにおけるフォーワードデータサービスに対するデータ転送速度を制御するための方法に関する。従来、基地局からモバイル局へのデータ転送速度は、モバイル局の無線環境に関係なく一定となっている。このように、モバイル局との通信のために基地局で使用されるリソースは、データ処理量が、貧弱な無線環境に起因して低い場合、浪費される可能性がある。しかしながら、本発明は、モバイル局の無線環境を指摘する、データのキャリアのエネルギー／他のキャリアの干渉（Ｅｃ／Ｉｏ）に従ってデータ転送速度を変化することによって、この問題を解決する。本発明では、貧弱な無線環境におけるモバイル局との通信のために浪費される、基地局のリソースが、他のモバイル局のために使用されることができる。このように、ＣＤＭＡ２０００−１ｘシステム全体のリソースが、効率的に使用されることができる。【選択図】図２
2007506390.tif 000002
【特許請求の範囲】
【請求項１】
ＣＤＭＡ２０００−１ｘシステムにおけるフォーワードデータサービスのためのデータ転送速度を制御するための方法であって、当該方法は、
基地局で、データを送信するステップと；
モバイル局で、そのデータを受信すると、受信されたデータのキャリアのエネルギー／他のキャリアの干渉（Ｅｃ／Ｉｏ）をチェックするステップと；
前記基地局で、Ｅｃ／Ｉｏのデータ転送速度を決定するステップと；
前記モバイル局で、決定されたデータ転送速度を元のデータ転送速度と比較するステップと；
前記モバイル局で、上記二つのデータ転送速度が等しい場合、受信されたデータのＥｃ／Ｉｏを連続してチェックして前記決定されたデータ転送速度に関する情報を含む電力測定レポートメッセージ（ＰＭＲＭ）を前記基地局に送信するステップと；
前記基地局で、ＰＭＲＭを受信すると、前記決定されたデータ転送速度に関する情報を前記ＰＭＲＭから検索するステップと；
前記基地局で、前記決定されたデータ転送速度に従ってデータを前記モバイル局に送信するステップと、
を備える方法。
【発明の詳細な説明】
【技術分野】
【０００１】
本発明は、一般的に、ＣＤＭＡ２０００−１ｘシステムにおけるフォーワードデータサービスのためのデータ転送速度を制御するための方法に関し、より具体的には、データ転送速度がデータのキャリアのエネルギー／他のキャリアの干渉（Ｅｃ／Ｉｏ）に従って変化され、それによって電力測定レポートメッセージ（ＰＭＲＭ）を使用することによってモバイル局の無線環境を表示する方法に関する。
【背景技術】
【０００２】
一般的に、ＣＤＭＡ２０００−１ｘシステムにおけるフォーワードデータサービスのデータ転送速度スケジューリングは、製造に従って変化する。従って、データ転送速度は、固定されない。
【０００３】
補助チャネルを使用するデータサービスにおける無線環境が十分ではない場合、データ処理量が低い。従来の技術において、貧弱な無線環境に起因してデータ処理量が低いと、モバイル局との通信のために基地局で使用されるリソースが変化されない。従って、このようなリソースは、浪費され、他のチャネルとの干渉が生じる事がある。
【発明の開示】
【発明が解決しようとする課題】
【０００４】
このように、本発明は、従来の技術に関連する上述の問題点を解決するために提供される。本発明の目的は、ＣＤＭＡ２０００−１ｘシステムにおける補助チャネルを使用してフォーワードデータサービスのためのデータ転送速度を制御するための方法を提供することである。
【課題を解決するための手段】
【０００５】
本発明によれば、ＣＤＭＡ２０００−１ｘシステムにおけるフォーワードデータサービスのためのデータ転送速度を制御するための方法が提供される。この方法は、以下のステップ、即ち、基地局で、データを送信するステップと；  モバイル局で、そのデータを受信すると、受信されたデータのキャリアのエネルギー／他のキャリアの干渉（Ｅｃ／Ｉｏ）をチェックするステップと；モバイル局で、Ｅｃ／Ｉｏに対するデータ転送速度を決定するステップと；モバイル局で、決定されたデータ転送速度を元のデータ転送速度と比較するステップと；モバイル局で、上記二つのデータ転送速度が等しい場合、受信されたデータのＥｃ／Ｉｏを連続してチェックして決定されたデータ転送速度に関する情報を含む電力測定レポートメッセージ（ＰＭＲＭ）を基地局に送信するステップと；基地局で、ＰＭＲＭを受信すると、決定されたデータ転送速度に関する情報をＰＭＲＭから検索するステップと；基地局で、決定されたデータ転送速度に従ってデータをモバイル局に送信するステップと、を備える。
【発明を実施するための最良の形態】
【０００６】
これらの図面は、本発明の典型的な実施の形態のみを示しており、従って、本発明の範囲を制限するものと考えられるべきではないことを理解した上で、添付の図面を使用して、以下に、本発明をより具体的且つ詳細に説明する。
【０００７】
添付の図面及び添付の明細書本文に一般的に記述され且つ示される、本発明のコンポーネントとステップは、本発明の概念を利用して、広範囲にわたる異なる構成で配置及び設計されることができることが容易に理解される。従って、図１乃至２及び添付の明細書に表されるように、本発明の方法の好適な実施の形態の以下の詳細な記述は、請求項に示されるように、本発明の範囲を制限する意図はない。この記述は、本発明の現在の好適な実施の形態を代表するに過ぎない。本発明の現在の好適な実施の形態は、図面を参照することにより最良に理解される。
【０００８】
図１は、本発明に従う夫々のＥｃ／Ｉｏのためのデータ転送速度を示す例示の表を示す。図２は、本発明に従ってデータ転送速度がフォーワードデータサービスで変化されるとＰＭＲＭを使用してデータ転送速度を制御するプロセスを示す。
【０００９】
図１と図２に示されるように、本発明に従うＣＤＭＡ２０００−１ｘシステムにおけるフォーワードデータサービスのためのデータ転送速度を制御するための方法は、以下のステップ、即ち、基地局で、データを送信するステップ（Ｓ２０１）と；モバイル局で、そのデータを受信するステップ（Ｓ１０１）と；モバイル局で、そのデータを受信すると、受信されたデータのキャリアのエネルギー／他のキャリアの干渉（Ｅｃ／Ｉｏ）をチェックするステップ（Ｓ１０２）と；モバイル局で、表に従ってＥｃ／Ｉｏのためのデータ転送速度を決定するステップ（Ｓ１０３）と；モバイル局で、決定されたデータ転送速度を元のデータ転送速度と比較するステップ（Ｓ１０４）と；モバイル局で、上記二つのデータ転送速度が等しい場合、受信データのＥｃ／Ｉｏを連続してチェックするステップ（Ｓ１０５）と；モバイル局で、上記二つのデータ転送速度が等しくない場合、決定されたデータ転送速度に関する情報を電力測定レポートメッセージ（ＰＭＲＭ）に含ませるステップ（Ｓ１０５）と；モバイル局で、ＰＭＲＭを基地局へ送信するステップ（Ｓ１０６）と；基地局で、ＰＭＲＭを受信するステップ（Ｓ２０２）と；基地局で、ＰＭＲＭを受信すると、ＰＭＲＭから決定されたデータ転送速度に関する情報を検索するステップ（Ｓ２０１）と；基地局で、決定されたデータ転送速度に従ってデータをモバイル局へ送信するステップ（Ｓ２０３）と、を備える。
【００１０】
図２に示されるように、本発明に従って、データ転送速度がフォーワードデータサービスにおいて変化されるとＰＭＲＭを基地局へ送信することによって新たなデータ転送速度を適用するプロセスにおいて、基地局２００は、データをモバイル局１００へ送信する（Ｓ２０１）。次に、モバイル局１００は、そのデータを受信し（Ｓ１０１）、受信されたデータのＥｃ／Ｉｏをチェックする（Ｓ１０２）。
【００１１】
次に、Ｅｃ／Ｉｏをチェックした（Ｓ１０２）後、モバイル局１００は、図１に示される表に定義されたＥｃ／Ｉｏに従ってデータ転送速度を決定する（Ｓ１０３）。
【００１２】
その後、モバイル局１００は、決定されたデータ転送速度を元のデータ転送速度と比較する（Ｓ１０４）。上記二つのデータ転送速度が等しい場合、モバイル局１００は、受信されたデータのＥｃ／Ｉｏを連続してチェックする（Ｓ１０２）。上記二つのデータ転送速度が等しくない場合、モバイル局１００は、決定されたデータ転送速度を基地局２００へ送信する（Ｓ１０５、Ｓ１０６）。
【００１３】
この時に、決定されたデータ転送速度を基地局２００へ送信するために必要なメッセージは、決定されたデータ転送速度に関する情報を無線構成（ＲＣ１）の電力制御で使用されるＰＭＲＭに組み込むことによって発生される（Ｓ１０５、Ｓ１０６）。
【００１４】
他方、基地局２００は、ＰＭＲＭを受信し（Ｓ２０２）、ＰＭＲＭから決定されたデータ転送速度に関する情報を検索し（Ｓ２０３）、且つ決定されたデータ転送速度に従ってデータをモバイル局１００へ送信する（Ｓ２０１）。
【００１５】
上述のように、モバイル局の無線環境に従ってデータ転送速度を変化することによって、フォーワードリンク電力が効率的に使用可能となる。
【００１６】
更に、データ転送速度が一定である場合に、ＰＭＲＭが送信されないので、リバースリンクに対するリソース消費と干渉が最小にされることができる。このような構成によって、性能とフォーワードとリバースリンクの容量が向上さえ得る。
【００１７】
本発明に従ってＣＤＭＡ２０００−１ｘシステムにおいて補助チャネルを使用してフォーワードデータサービスに対するデータ転送速度を制御するための方法は、モバイル局で、Ｅｃ／Ｉｏのためのデータ転送速度を決定するステップと；モバイル局で、決定されたデータ転送速度に関する情報を含む２Ｇにおけるフォーワード電力制御で使用された電力測定レポートメッセージ（ＰＭＲＭ）を基地局へ送信するステップと；基地局で、ＰＭＲＭを受信すると、ＰＭＲＭから決定されたデータ転送速度に関する情報を検索するステップと；基地局で、決定されたデータ転送速度に従ってデータをモバイル局に送信するステップを備える。
【００１８】
本発明は、ＣＤＭＡ２０００−１ｘシステムにおけるフォーワードデータサービスのためのデータ転送速度を制御する方法のための特定の好適な実施の形態に関連して上述されたが、本発明の範囲から逸脱することない多数の代替、修正、変更は、当業者には明白であることが明らかである。このように、本発明の広がりと範囲は、上述の例示の実施の形態のいずれによっても制限されるべきではなく、以下の請求項とその均等物に従ってのみ定義されるべきである。
【産業上の利用可能性】
【００１９】
本発明に従って、ＣＤＭＡ２０００−１ｘシステムにおけるフォーワードデータサービスの無線環境に従ってデータ転送速度を変化することによって、リソースが効率的に使用されることができ、干渉が減少されることができるので、本発明は、同時に、幾人かの加入者へ最適なサービスを提供できる。更に、本発明は、データ転送速度スケジューリングの分野に適用可能である。
【００２０】
本発明では、基地局におけるリソースは、不十分な無線環境におけるモバイル局との通信のために浪費される代わりに、他のモバイル局のために使用されることができる。このように、ＣＤＭＡ２０００−１ｘシステム全体のリソースが効率的に使用されることができ、干渉が最小化され得る。更に、フォーワードリンク電力は、無線環境に従ってデータ転送速度を変化することによって効率的に使用されることができる。
【００２１】
また、ＰＭＲＭは、データ転送速度が一定の場合には、送信されないので、リバースリンクに対するリソース消費と干渉が、最小にされ得る。このような構成によって、性能及びフォーワードとリバースリンクの容量を向上させることができる。
【図面の簡単な説明】
【００２２】
【図１】本発明に従って夫々のＥｃ／Ｉｏに対するデータ転送速度を示す例示の表である。
【図２】本発明に従ってデータ転送速度がフォーワードデータサービスにおいて変化される時にＰＭＲＭを使用してデータ転送速度を制御するプロセスを示す。
【図１】
2007506390.tif 000003
【図２】
2007506390.tif 000004
【国際調査報告】
2007506390.tif 000005
2007506390.tif 000006